(57)【要約】  【課題】  畝突き板により畝整形を行う鎮圧式の畝整形機において、畝面の状況に応じて締りの強固な且つきれいな畝形を実現する。  【解決手段】  畝整形機本体の原動機２から左右に伝達される出力軸の両端にクランク機構３を介して畝突き板４を連結して成る鎮圧式の畝整形機１において、畝突き板４が内側の叩き鉄板５と外側の畝面擦り樹脂板６を相互の基端のみの貼合わせによって形成される挟角空間Ｓに板ばね１７を介装して鎮圧時には該板ばね１７を圧縮して叩き鉄板５と畝面擦り樹脂板６との重圧応力により畝面を強力に叩き、離反時には該板ばね１７の復元力により叩き鉄板５が畝面を離れつつ畝面擦り鉄板６が前記所定角度で畝上部から崩れ落ちる土を畝面に擦りながら畝形面を仕上げていく。ここで、板ばね１７の叩き鉄板５との取り付けをねじ結合として、板ばね１７の取り付け高さの位置変更を可能にする。【選択図】  図１
2005124403.tif 000002
【特許請求の範囲】
【請求項１】
畝整形機本体の原動機から左右に伝達される出力軸の両端にクランク機構を介して畝突き板を連結して構成される畝突き板装置であって、
前記畝突き板が内側の叩き鉄板と外側の畝面擦り樹脂板を相互の基端のみの貼合わせによって形成される挟角空間に板ばねを介装して前記畝面擦り樹脂板を前記叩き鉄板に対して所定角度を保つように構成され、鎮圧時には前記板ばねを変形して前記叩き鉄板と前記畝面擦り樹脂板との重圧応力により畝面を強力に叩き、離反時には前記板ばねの復元力により前記叩き鉄板が畝面を離れつつ前記畝面擦り鉄板が前記所定角度で畝上部から崩れ落ちる土を畝面に擦りながら畝形面を仕上げていくようにした畝突き板装置において、
前記板ばねを基端から先端側に断面く字形に折曲形成したことを特徴とする畝突き板装置。
【請求項２】
請求項１に記載の畝突き板装置において、
前記板ばねを前記叩き鉄板の高さ方向全長の２分の１以下の長さのものを片側につき１個または２個用意するとともに、前記叩き鉄板と前記板ばねと前記畝面擦り樹脂板との基端部での貼合わせをねじ結合として、前記叩き鉄板と前記畝面擦り樹脂板とに対する前記板ばねの高さ位置を調整可能にしたことを特徴とする畝突き板装置。
【発明の詳細な説明】
【技術分野】
【０００１】
本発明は、イチゴ等の高畝を成形するため、畝整形機の左右に取り付けられる畝突き板装置に関する。
【背景技術】
【０００２】
牽引本機に高畝を形成するための鎮圧式畝整形機を組込む形式として、（イ）汎用の本機にロータリアタッチメントと畝整形機とを各別に動力伝達する方式、（ロ）ロータリ体型ミッションに畝整形機を連結して動力伝達する方式とがある。そのいずれにあっても、畝整形機の鎮圧板（畝突き板）は、内側鉄板と外側樹脂板とを貼り合わせたものが一般的であり、畝側面と10度角程度（畝側面と略平行状）で装着されているため、畝突き板が畝面より離れると、ロータリ爪にて畝上部に揚げられた土が充分に留まらず下方部へ崩れ落ちる傾向にあり、畝を形成する土の密度が低くなってしまう難点があった。そこで本出願人等は、畝突き板の構造を改変して装着することにより、締りの強固で且つきれいな畝形を達成できる、高畝整形機における畝突き板装置を、特許文献１として提案した。
【０００３】
特許文献１に記載された畝突き板装置は、図４及び図５に示されるように、畝整形機本体の原動機２から左右に伝達される出力軸の両端にクランク機構３を介して畝突き板４を連結して成る鎮圧式の畝整形機１において、畝突き板４が内側の叩き鉄板５と外側の畝面擦り樹脂板６を相互の基端のみの貼合わせによって形成される挟角空間Ｓに弾力部材７を介装して前記畝面擦り樹脂板６が叩き鉄板５に対して所定角度を保つように構成される。そして、鎮圧時には該弾力部材７を圧縮して叩き鉄板５とこれと所定角度を成す畝面擦り樹脂板６との重圧応力により畝面を強力に叩き、離反時には該弾力部材７が復元しつつ叩き鉄板５が畝面を離れ、畝面擦り鉄板６が前記所定角度で畝上部から崩れ落ちる土を畝面に擦りながら畝形面を仕上げていくようにした高畝整形機における畝突き板装置である。
【特許文献１】特開２００３−１３４９０１号公報
【発明の開示】
【発明が解決しようとする課題】
【０００４】
上述した畝突き板装置は、畝突き板４を構成する内側の叩き鉄板５と外側の畝面擦り樹脂板６の間に弾力部材７を介装しているが、この弾力部材７は、叩き鉄板５と畝面擦り樹脂板６の間の高さ方向全面に設けられている訳ではなく、高さ方向の特定区間、具体的には高さ方向全長の１／４〜１／３程度の長さで例えば上部分に設けられている。その結果、弾力部材７が設けられた部分の畝面擦り樹脂板６の外側は、畝面が強力に締められることになる。ところで、この畝突き板装置により鎮圧される畝面は、畝高さ、畝面の状態（土質、土量、水分量など）により、最も強力に締めたい高さ位置がまちまちである。しかし、実際の畝突き板装置では、弾力部材７の取り付け位置が固定されているため、畝面の状況に応じて弾力部材７の取り付け位置を現場で変更することができないという問題があった。そこで本発明は、弾力部材７の取り付け位置を畝面の状況に応じて現場で変更することができる畝突き板装置を提案することを目的とした。
【課題を解決するための手段】
【０００５】
上記課題を解決するために、本発明は、畝整形機本体の原動機から左右に伝達される出力軸の両端にクランク機構を介して畝突き板を連結して構成される畝突き板装置であって、前記畝突き板が内側の叩き鉄板と外側の畝面擦り樹脂板を相互の基端のみの貼合わせによって形成される挟角空間に板ばねを介装して前記畝面擦り樹脂板を前記叩き鉄板に対して所定角度を保つように構成され、鎮圧時には前記板ばねを変形して前記叩き鉄板と前記畝面擦り樹脂板との重圧応力により畝面を強力に叩き、離反時には前記板ばねの復元力により前記叩き鉄板が畝面を離れつつ前記畝面擦り鉄板が前記所定角度で畝上部から崩れ落ちる土を畝面に擦りながら畝形面を仕上げていくようにした畝突き板装置において、前記板ばねを基端から先端側に断面く字形に折曲形成する。また、本発明は、前記板ばねを前記叩き鉄板の高さ方向全長の２分の１以下の長さのものを片側につき１個または２個用意するとともに、前記叩き鉄板と前記板ばねと前記畝面擦り樹脂板との基端部での貼合わせをねじ結合として、前記叩き鉄板と前記畝面擦り樹脂板とに対する前記板ばねの高さ位置を調整可能にする。
【発明の効果】
【０００６】
以上述べたように本発明によれば、畝突き板の内側の叩き鉄板と外側の畝面擦り樹脂板を相互の基端のみの貼合わせによって形成される挟角空間に、基端から先端側に断面く字形に折曲形成された板ばねを介装して前記畝面擦り樹脂板を前記叩き鉄板に対して所定角度を保つように構成するとともに、前記叩き鉄板と前記畝面擦り樹脂板とに対する前記板ばねの高さ位置を調整可能にしたことで、畝高さ、畝面の状態（土質、土量、水分量など）に応じて、前記板ばねの位置を調整して最適な高さ位置で畝面を強力に締めることが可能となる。
【発明を実施するための最良の形態】
【０００７】
以下、図に基づいて本発明の実施形態を説明する。図１は本発明に係る畝突き板装置の横断面図であり、図２は図１の板ばねを単体で示した図であり、図３は図１における叩き鉄板に対する板ばねの位置関係を示す説明図である。本発明に係る畝突き板装置が取り付けられる鎮圧式畝整形機本体は、図４および図５に示した特許文献１の鎮圧式畝整形機と同一であるので、図示および説明を省略する。また、畝突き板装置についてもその基本的な構成は特許文献１のものと共通しており、図１に示されるように、クランク機構（図示せず）に駆動される断面Ｌ字形の叩き鉄板５の外側に挟角空間Ｓを形成するように、板ばね１７を介して畝面擦り樹脂板６をその基端側で取り付けて畝突き板４を構成したものである。
【０００８】
板ばね１７は、図２に示されるように、基端部１７ａと本体部１７ｂとを断面く字形に折曲して、図１における挟角空間Ｓを形成するようにしている。また、本体部１７ｂの先端部１７ｃは、畝突き板装置の作動時に板ばね１７と畝面擦り樹脂板６とが相対的に摺動したとき板ばね１７の端により樹脂板６を傷つけないように内側に湾曲している。基端部１７ａには、叩き鉄板５へ取り付けるための孔１７ｄ，１７ｅが形成されている。この板ばね１７の長さＬは、図３に示されるように、それが取り付けられる叩き鉄板５の全長の１／４〜１／３程度とし、図示例では、叩き鉄板５に５個の取り付け孔１５が均等に配置されており、その各ピッチは板ばね１７の孔１７ｄ，１７ｅのビッチと同じである。
【０００９】
このように構成されたことで、板ばね１７は叩き鉄板５に対して、上下方向４段階の位置に取り付け可能となる。すなわち、鎮圧しようとする畝面の、畝高さ、畝面の状態（土質、土量、水分量など）に応じて、最も強力に締めたい高さ位置に板ばね１７を合わせてから、板ばね１７を叩き鉄板５に取り付けるようにする。また、畝面の中断を除いた上段と下段の２箇所を強力に締めたい場合もあるので、その場合は、板ばね１７を片側につき２個用意し上段と下段それぞれに取り付けるようにする。
【００１０】
なお、板ばね１７の取り付け部は、図１に拡大して示されるように、樹脂板６の外側から皿ビス１１を板ばね１７と叩き鉄板５を貫通して挿入し、ワッシャ１２を介してナット１３を螺着する構造であるから、作業現場でも、簡単に皿ビス１１、ナット１３等を外して板ばね１７を異なる位置に付け替えることが可能である。この板ばね１７はステンレス板、ばね用鋼板等により形成され、取り付け用の孔を３個とすることも可能である。また、図示例では、叩き鉄板５と畝面擦り樹脂板６との結合用の孔１５が５個であるが、４個または６個以上とすることも可能である。
【産業上の利用可能性】
【００１１】
本発明は、クランク機構を介して畝整形機本体の原動機に連結される以外の方式、例えばピストン駆動式の畝突き板装置にも利用可能である。
【図面の簡単な説明】
【００１２】
【図１】本発明に係る畝突き板装置の横断面図である。
【図２】図１の板ばねを単体で示した図である。
【図３】図１における叩き鉄板に対する板ばねの位置関係を示す説明図である。
【図４】従来の鎮圧式畝整形機の斜視図である。
【図５】従来の鎮圧式畝整形機の平面図である。
【符号の説明】
【００１３】
４  畝突き板
５  叩き鉄板
６  畝面擦り樹脂板
１１  皿ビス
１２  ワッシャ
１３  ナット
１５  取り付け孔
１７  板ばね
１７ａ  基端部
１７ｂ  本体部
１７ｃ  先端部
１７ｄ，１７ｅ  孔
Ｌ  板ばねの長さ
Ｓ  挟角空間
【図１】
2005124403.tif 000003
【図２】
2005124403.tif 000004
【図３】
2005124403.tif 000005
【図４】
2005124403.tif 000006
【図５】
2005124403.tif 000007